(57)【要約】【課題】タッチセンサの電極パターンを不規則な多角形のメッシュパターンに形成することで、電極パターン間の交差またはディスプレイのブラックマトリックスとの関係で発生しうるモアレ現象を防止してタッチセンサの視認性を向上させるためのタッチセンサを提供する。【解決手段】本発明のタッチセンサは、透明基板と、前記透明基板上に形成された電極パターン２０と、を含み、電極パターン２０はメッシュパターンに形成され、前記メッシュパターンは、少なくとも一つ以上の不規則な単位パターン２０ａを含むものである。【選択図】図１
2014219964.tif 000002
【特許請求の範囲】
【請求項１】
透明基板と、
前記透明基板上に形成された電極パターンと、を含み、
前記電極パターンはメッシュパターンに形成され、前記メッシュパターンは、少なくとも一つ以上の不規則な単位パターンを含む、タッチセンサ。
【請求項２】
前記電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
2014219964.tif 000008
で表され、
ここで、σ値は０超過１以下の値に形成されるように前記の関係式を満たす、請求項１に記載のタッチセンサ。
【請求項３】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなる、請求項１に記載のタッチセンサ。
【請求項４】
透明基板と、
前記透明基板の一面に一方向に互いに平行に形成される第１電極パターンと、
前記透明基板の他面に形成され、前記第１電極パターンと交差する方向に形成される第２電極パターンと、を含み、
前記第１電極パターンおよび第２電極パターンはメッシュパターンに形成され、前記メッシュパターンは、少なくとも一つ以上の不規則な単位パターンを含む、タッチセンサ。
【請求項５】
前記第１電極パターンまたは第２電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
2014219964.tif 000009
で表され、
ここで、σ値は０超過１以下の値に形成されるように前記の関係式を満たす、請求項４に記載のタッチセンサ。
【請求項６】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなる、請求項４に記載のタッチセンサ。
【請求項７】
第１透明基板と、
前記第１透明基板の一面に一方向に互いに平行に形成される第１電極パターンと、
第２透明基板と、
前記第２透明基板の一面に前記第１電極パターンと交差する方向に互いに平行に形成される第２電極パターンと、を含み、
前記第１電極パターンおよび第２電極パターンはメッシュパターンに形成され、前記メッシュパターンは、少なくとも一つ以上の不規則な単位パターンに形成され、
前記第１透明基板の他面と前記第２透明基板の第２電極パターンとが対向するように前記第１透明基板と前記第２透明基板が接合される、タッチセンサ。
【請求項８】
前記第１電極パターンまたは第２電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
2014219964.tif 000010
で表され、
ここで、σ値は０超過１以下の値に形成されるように前記の関係式を満たす、請求項７に記載のタッチセンサ。
【請求項９】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなる、請求項７に記載のタッチセンサ。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
このようなタッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような様々な方式のタッチセンサは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチセンサ及び静電容量方式タッチセンサである。
【０００７】
従来、特許文献１のように、メッシュパターンをタッチセンサの電極パターンとして使用する場合、規則正しいメッシュ形状によるモアレ現象が生じるという問題点があった。このようなモアレ現象は、タッチセンサの電極パターンをユーザに認識させてタッチセンサの全体の視認性を低減させるという問題点があった。また、メッシュパターンを形成する規則正しい金属パターンによって生じるモアレ現象は、タッチセンサの全体の視認性に影響を与えるため、ディスプレイから出力した映像およびその他の関連出力映像の画質の鮮明度やその他の映像の信頼度を低下させるという問題点があった。
【先行技術文献】
【特許文献】
【０００８】
【特許文献１】米国特許出願公開第２０１２／００６２５１０号明細書
【発明の概要】
【発明が解決しようとする課題】
【０００９】
本発明は、上述した従来技術の問題点を解決するためのものであり、本発明の目的は、タッチセンサの電極パターンを不規則な多角形のメッシュパターンに形成することで、電極パターン間の交差またはディスプレイのブラックマトリックスとの関係で発生しうるモアレ現象を防止してタッチセンサの視認性を向上させるためのタッチセンサを提供することにある。
【課題を解決するための手段】
【００１０】
本発明の一実施例によるタッチセンサは、透明基板と、前記透明基板上に形成された電極パターンと、を含み、前記電極パターンはメッシュパターンに形成され、前記メッシュパターンは、少なくとも一つ以上の不規則な単位パターンを含むことができる。
【００１１】
本発明の一実施例によるタッチセンサとして、前記電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
【００１２】
【数１】
2014219964.tif 000003
【００１３】
で表され、ここで、σ値は０超過１以下の値に形成されるように前記の関係式を満たすように形成されることができる。
【００１４】
本発明の一実施例によるタッチセンサとして、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなることができる。
【００１５】
本発明の他の実施例によるタッチセンサは、透明基板と、前記透明基板の一面に一方向に互いに平行に形成される第１電極パターンと、前記透明基板の他面に形成され、前記第１電極パターンと交差する方向に形成される第２電極パターンと、を含み、前記第１電極パターンおよび第２電極パターンはメッシュパターンに形成され、前記メッシュパターンは、少なくとも一つ以上の不規則な単位パターンを含むことができる。
【００１６】
本発明の他の実施例によるタッチセンサとして、前記第１電極パターンまたは第２電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
【００１７】
【数２】
2014219964.tif 000004
【００１８】
で表され、ここで、σ値は０超過１以下の値を満たすように定義することができる。
【００１９】
本発明の他の実施例によるタッチセンサとして、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなることができる。
【００２０】
本発明のさらに他の実施例によるタッチセンサは、第１透明基板と、前記第１透明基板の一面に一方向に互いに平行に形成される第１電極パターンと、第２透明基板と、前記第２透明基板の一面に前記第１電極パターンと交差する方向に互いに平行に形成される第２電極パターンと、を含み、前記第１電極パターンおよび第２電極パターンはメッシュパターンに形成され、前記メッシュパターンは、少なくとも一つ以上の不規則な単位パターンに形成され、前記第１透明基板の他面と前記第２透明基板の第２電極パターンとが対向するように前記第１透明基板と前記第２透明基板が接合されることができる。
【００２１】
本発明のさらに他の実施例によるタッチセンサとして、前記第１電極パターンまたは第２電極パターンに含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
【００２２】
【数３】
2014219964.tif 000005
【００２３】
で表され、ここで、σ値は０超過１以下の値を満たすように定義することができる。
【００２４】
本発明のさらに他の実施例によるタッチセンサとして、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせからなることができる。
【発明の効果】
【００２５】
本発明によれば、タッチセンサの電極パターンがユーザによって認識されることを軽減することで、タッチセンサの全体の視認性を向上させることができるという効果がある。
【００２６】
また、金属メッシュパターン同士の間で発生しうるモアレ現象を防止することで、電極パターンの視認性を低減し、タッチセンサの全体の視認性を向上させることができるという効果がある。
【００２７】
また、タッチセンサに結合されるディスプレイ部上のブラックマトリックスと電極パターンが重なることで発生しうるモアレ現象を予め防止することで、ディスプレイ部から出力される映像の画質をさらに改善させることができるという効果がある。
【００２８】
また、タッチセンサの電極パターンを形成する単位パターンの形状および個数等の一連の関係を特定の関係式で定義することで、メッシュパターンの設計の容易性とともに実質的なメッシュパターンの量産性を向上させることができるという効果がある。
【図面の簡単な説明】
【００２９】
【図１】本発明の一実施例による不規則な単位パターンを含む電極パターンの模式図である。
【図２】本発明の一実施例による関係式（１）を示すグラフである。
【図３】本発明の一実施例によるタッチセンサの電極パターンをなす単位パターンに形成された頂点の数とその頻度数に関する関係を示すグラフである。
【図４】本発明の一実施例によるパターンの比較例によるモアレ現象を示す参考図である。
【図５】本発明の一実施例による電極パターンでモアレ現象が現れていない状態を示す参考図である。
【図６】本発明の他の実施例によるタッチセンサの断面図である。
【図７】本発明のさらに他の実施例によるタッチセンサの断面図である。
【発明を実施するための形態】
【００３０】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３１】
以下、添付図面を参照して、本発明の好ましい実施例を詳細に説明する。
【００３２】
図１は、本発明の一実施例による不規則な単位パターン２０ａを含む電極パターンの模式図であり、図２は、本発明の一実施例による関係式（１）を示すグラフであり、図３は、本発明の一実施例によるタッチセンサの電極パターンをなす単位パターンに形成された頂点の数とその頻度数に関する関係を示すグラフであり、図４は、本発明の一実施例によるパターンの比較例によるモアレ現象を示す参考図であり、図５は、本発明の一実施例による電極パターンでモアレ現象が現れていない状態を示す参考図である。
【００３３】
本発明の一実施例によるタッチセンサは、透明基板と、前記透明基板上に形成された電極パターン２０と、を含み、前記電極パターン２０は、メッシュパターンに形成され、前記メッシュパターンは、少なくとも一つ以上の不規則な単位パターン２０ａを含むことを特徴とする。
【００３４】
透明基板１０は、所定強度以上の材質であれば特に限定されず、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましい（図６参照）。また、透明基板１０の一面には透明電極が形成されることができるため、透明基板１０と透明電極との間の接着力を向上させるために、透明基板１０の一面に高周波処理またはプライマ（ｐｒｉｍｅｒ）処理などを施して表面処理層を形成することができる。
【００３５】
電極パターン２０は、前記透明基板１０上に形成されることができる。電極パターン２０は、タッチの入力手段によって信号を発生させ、制御部（図示せず）からタッチ座標を認識するための役割を行う。静電容量方式の場合には電極パターン２０によって静電容量の変化を検知することでタッチ点の座標値を認識してタッチ時の出力値を示すことができ、抵抗膜方式の場合にも電極パターン２０は、所定圧力によって電極間の接触により発生する抵抗の変化に応じてタッチ点を認識し、その出力値を示すことができる。
【００３６】
電極パターン２０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせを用いてメッシュパターン（Ｍｅｓｈ  Ｐａｔｔｅｒｎ）に形成することができる。特に、メッシュパターンは、少なくとも一つ以上の単位パターン２０ａが連続して配列されることで形成されることができる。ここで、単位パターン２０ａの形状は、四角形、三角形、ダイヤモンド型およびその他の様々な多角形の形状から選択されてもよく、その形状は特に制限されない。
【００３７】
電極パターン２０は、一つの透明基板１０上に形成された単層構造の電極パターン２０であってもよく、後述する他の実施例のように、第１電極パターン２１と第２電極パターン２２の二つの電極パターン層を組み合わせて形成してもよいことは言うまでもない。本発明では、特に、電極パターン２０を、金属を用いたメッシュパターンに構成する際にメッシュパターンの視認性を低減させることで全体的なタッチセンサの視認性を向上させることができる。
【００３８】
タッチセンサがディスプレイ部（図示せず）と結合する場合、従来は、ディスプレイ部に形成されるブラックマトリックスなどのパターンと組み合わされる際に発生しうるモアレ現象を防止するために、ブラックマトリックスの周期情報を利用してメッシュ設計を行うか、ディスプレイ部のピクセルやサブピクセルの周期およびＲＧＢ色素の配列方法（Ｓｔｒｉｐｅ、Ｍｏｓａｉｃ、Ｄｅｌｔａなど）などの様々な変数を考慮してメッシュ設計を行わなければならないという不都合があった。
【００３９】
しかし、本発明は、このようなパターン同士の間で発生しうるモアレ現象を防止するために、電極パターン２０のメッシュ設計を少なくとも一つ以上の単位パターン２０ａを組み合わせて不規則に行うことでタッチセンサの視認性を向上させることを特徴とする。特に、不規則な単位パターン２０ａを組み合わせるために従来一般的に使用される不規則なメッシュパターンは、パターンの製作や生成が非常に複雑であったり、電気的特性および光学的特性の信頼性に劣っているなど、様々な問題点が存在したが、本発明は、図１に図示されたように、不規則なパターンを具現するとともにこのような不規則なパターンを具現する過程で、パターン形成をより容易に行い、パターン形成時に光学的特性および電気的特性の均一性を維持するために、後述する特定の関係式を用いて電極パターン２０を形成することで、より信頼性の高い電極パターン２０の設計を行うことができる。
【００４０】
本発明の一実施例による電極パターン２０は、メッシュパターンに形成されることができ、メッシュパターンをなす各単位パターン２０ａは、図１に図示されたように多角形の形状に形成されることができる。
【００４１】
まず、図２に図示されたように、不規則なメッシュパターンを形成するためには、メッシュパターンをなす各単位パターン２０ａの半径値の平均値で個別単位パターン２０ａの半径を除した値をＸ軸値とし、対応する単位パターン２０ａの頻度数（ｆｒｅｑｕｅｎｃｙ）をＹ軸としたときに、図２に図示されたようなグラフで表すことができる。
【００４２】
四角形の点で形成された分布は、本発明の単位パターン２０ａの半径の大きさおよび単位パターン２０ａの頻度数に関する関係式で具体的に特定することができないが、四角形に形成されて示されている傾向は、Ｘ軸の単位パターン２０ａの半径をｌｏｇ軸と設定し、標準偏差をσとしたときに、次の関係式（１）を満たすことができる。
【００４３】
【数４】
2014219964.tif 000006
【００４４】
ただし、ここで、標準偏差σは、０より大きく、１より小さいか等しく形成されることができる。σは０を含まないものと定義される。
【００４５】
すなわち、前記電極パターンが含まれた少なくとも一つ以上の単位パターンの半径（ｒ）を全体の単位パターンの平均半径で除した値をＸ軸とし、前記単位パターンの頻度数（ｆｒｅｑｕｅｎｃｙ）をＹ軸とし、Ｘ軸をｌｏｇ軸と設定し、標準偏差をσとしたときに、
【００４６】
【数５】
2014219964.tif 000007
【００４７】
で表され、ここで、σ値は０超過１以下の値に形成されてもよい。
【００４８】
また、半径とは、多角形の形状を有する単位パターン２０ａを一つの円と仮定して計算した半径値を意味し、図１に図示された様々な多角形の外側の周縁を連結して形成される略円状から算出される半径値と定義することができる。
【００４９】
また、図３に図示されたように、多角形に形成された単位パターン２０ａそれぞれに形成される頂点の個数と前記単位パターン２０ａの個数に関する関係式を用いて不規則なメッシュパターンを形成することができる。図３に図示されたグラフは、Ｘ軸の単位パターン２０ａをなす頂点の数であり、Ｙ軸をそれによる頻度数（ｒ）とすると、この分布における分布の平均値は５〜８と定義することができる。
【００５０】
このような関係式（１）とともに前記図３に図示されたように、単位パターン２０ａの頂点の数とその頻度数に対する分布の平均値が５〜８を満たす単位パターン２０ａを設計することができる。
【００５１】
図４および図５は、本発明により設計されたメッシュパターンと従来の一般的なメッシュパターンを互いに重ねた時に視認されるモアレ現象に対する結果を示す模式図である。
【００５２】
図４によれば、従来の一般的なメッシュパターンで規則正しい配列を有する二つのパターンを互いに傾斜するように形成したときに、視覚的にモアレ現象が現れることが分かる。モアレ現象は、所定の間隔を有する形状が繰り返して重なればどこでも波型模様が生ずるものであり、このようなモアレ現象がタッチセンサの電極パターン２０上で発生すると、不透明な金属材質で形成されるメッシュパターンがユーザに強調して認識されることでタッチセンサの視認性が低下し、タッチセンサと結合するディスプレイ部から出力された映像の視認性にも影響を与える恐れがあるという問題点があった。
【００５３】
しかし、図５のように本発明の一実施例による不規則な電極パターン２０を他のメッシュパターンと交差するように形成すると、モアレ現象による干渉がほとんど生じないことを一目で視覚的に認識することができる。タッチセンサの電極パターン２０を単層で形成すると、タッチセンサの下部に結合するディスプレイ部のブラックマトリックスとの重なりにより発生しうるモアレ現象を軽減することができ、後述する二つの電極層で形成される電極パターン２０間の重なりにより発生しうるモアレ現象もまた防止することができるという利点がある。
【００５４】
図６は、本発明の他の実施例によるタッチセンサの断面図であり、図７は、本発明のさらに他の実施例によるタッチセンサの断面図である。
【００５５】
本発明の他の実施例によるタッチセンサは、透明基板１０と、前記透明基板１０の一面に一方向に互いに平行に形成される第１電極パターン２１と、前記透明基板１０の他面に形成され、前記第１電極パターン２１と交差する方向に形成される第２電極パターン２２と、を含み、前記第１電極パターン２１および第２電極パターン２２はメッシュパターンに形成され、前記メッシュパターンは、少なくとも一つ以上の不規則な単位パターン２０ａを含むことができる。
【００５６】
本発明の他の実施例によるタッチセンサは、図６に図示されたように、透明基板１０の両面に第１電極パターン２１と第２電極パターン２２が互いと交差する方向に形成されるタッチセンサ構造の実施例である。この場合、第１電極パターン２１と第２電極パターン２２が互いに重なる部分におけるモアレ現象が問題になりうる。しかし、前記で説明したように、第１電極パターン２１および第２電極パターン２２を不規則なメッシュパターンに形成することで、電極パターン２１，２２同士の間で発生しうるモアレ現象を防止して、タッチセンサの視認性を向上させることができる。
【００５７】
本発明の他の実施例によるタッチセンサは、第１透明基板１１と、前記第１透明基板１１の一面に一方向に互いに平行に形成される第１電極パターン２１と、第２透明基板１２と、前記第２透明基板１２の一面に前記第１電極パターン２１と交差する方向に互いに平行に形成される第２電極パターン２２と、を含み、前記第１電極パターン２１および第２電極パターン２２はメッシュパターンに形成され、前記メッシュパターンは、少なくとも一つ以上の不規則な単位パターン２０ａに形成され、前記第１透明基板１１の他面と前記第２透明基板１２の第２電極パターン２２とが対向するように前記第１透明基板１１と前記第２透明基板１２が接合されることができる。
【００５８】
本発明の他の実施例によるタッチセンサは、第１電極パターン２１および第２電極パターン２２がそれぞれ第１透明基板１１および第２透明基板１２に形成されることを特徴とする。この場合にも、第１電極パターン２１と第２電極パターン２２がタッチセンサのユーザの視野範囲で互いに重なることでモアレ現象が問題になりうるため、第１電極パターン２１と第２電極パターン２２を本発明の一実施例で説明した不規則なメッシュパターンに形成することにより、モアレ現象による電極パターン２１、２２の視認性の問題を解決することができる。ここで、第１透明基板１１と第２透明基板１２は、透明接着剤３０によって接着することができる。
【００５９】
前記本発明の他の実施例とさらに他の実施例によるタッチセンサは、図６および図７に図示されたように、電極パターン２１、２２が露出した上部面にウィンドウ基板１０ａをさらに含むことができる。ここで、ウィンドウ基板１０ａは、タッチセンサの保護層の役割を行うものであり、名称上のウィンドウ基板１０ａに限定されず、様々な絶縁層を介して保護層が形成されることができることは言うまでもない。ウィンドウ基板１０ａの材質は、前記で説明した透明基板１０と同等に選択適用されることができる。
【００６０】
その他、透明基板、第１透明基板１１、第２透明基板１２、第１電極パターン２１、および第２電極パターン２２は、本発明の一実施例で説明した透明基板および電極パターン２０とそれぞれその構成および作用効果などが同一であり、詳細な説明が重複するため省略する。
【００６１】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６２】
本発明の単純な変形乃至変更はいずれも本発明の領域に属するものであり、本発明の具体的な保護範囲は添付の特許請求の範囲により明確になるであろう。
【産業上の利用可能性】
【００６３】
本発明は、タッチセンサに適用可能である。
【符号の説明】
【００６４】
１０  透明基板
１０ａ  ウィンドウ基板
１１  第１透明基板
１２  第２透明基板
２０  電極パターン
２１  第１電極パターン
２２  第２電極パターン
２０ａ  単位パターン
３０  透明接着層
【図１】
2014219964.tif 000011
【図２】
2014219964.tif 000012
【図３】
2014219964.tif 000013
【図４】
2014219964.tif 000014
【図５】
2014219964.tif 000015
【図６】
2014219964.tif 000016
【図７】
2014219964.tif 000017